(57)【要約】【課題】枠部材等を薄い部材で形成し小型化，軽量化に寄与しながら耐衝撃性に優れたレンズ鏡筒を提供する。【解決手段】カム溝５ｂを有する第１の枠部材５と、筒状に形成され第１の枠部材の光軸Ｏに沿う方向に対して相対的に移動可能であって第１の枠部材に対して繰り出された状態となったとき第１の枠部材の光軸に沿う方向に重畳した筒部分に径方向に設けられた貫通穴２０ｂを有する第２の枠部材１２と、第２の枠部材に設けられカム溝に嵌合するカム摺接面を有する第１の軸部４４ａと、この第１の軸部から一体に形成され貫通穴に挿入される第２の軸部４４ｂとを有し該軸部は貫通穴の長さより長く設けられ該軸部を貫通穴に挿入し該軸部の先端が第２の枠部材の周面より突出する状態となるカムフォロワ４４と、繰出状態で第２の枠部材がさらに繰出される方向に移動したときカムフォロワの軸部先端と係合する係合部位６ｆを有する第３の枠部材６とを有してなる。【選択図】図２
2009145686.tif 000002
【特許請求の範囲】
【請求項１】
カム溝を有する第１の枠部材と、
筒状に形成され、上記第１の枠部材の光軸に沿う方向に対して相対的に移動可能であって、上記第１の枠部材に対して繰り出された状態となったとき、上記第１の枠部材の光軸に沿う方向に重畳した筒部分に径方向に設けられた貫通穴を有する第２の枠部材と、
上記第２の枠部材に設けられ、上記カム溝に嵌合するカム摺接面を有する第１の軸部とこの第１の軸部から一体に形成され上記貫通穴に挿入される第２の軸部とを有し該軸部は上記貫通穴の長さより長く設けられ該軸部を上記貫通穴に挿入し該軸部の先端部が上記第２の枠部材の周面より突出する状態となるカムフォロワと、
上記繰出状態で、上記第２の枠部材がさらに繰り出される方向に移動したとき上記カムフォロワの上記先端部と係合する係合部位を有する第３の枠部材と、
を有することを特徴とするレンズ鏡筒。
【請求項２】
上記第３の枠部材の係合部位は、光軸に沿う方向に延びた直進溝であることを特徴とする請求項１に記載のレンズ鏡筒。
【請求項３】
上記第１の枠部材と上記第２の枠部材とは、それぞれ光軸に沿う方向に相対的に移動し、上記第１の枠部材と上記第３の枠部材とは、相対的に回転することを特徴とする請求項１に記載のレンズ鏡筒。
【発明の詳細な説明】
【技術分野】
【０００１】
この発明は、レンズ鏡筒、詳しくは複数の枠部材等からなり、これら複数の枠部材を光軸に沿う方向に進退自在に構成したレンズ鏡筒に関するものである。
【背景技術】
【０００２】
従来、写真撮影をおこなうカメラ等においては、ズーム動作や沈胴動作をおこなうために撮影光学系を構成する複数の光学レンズ群を保持する複数のレンズ保持枠を光軸に沿う方向に進退自在に構成したレンズ鏡筒を有するものが広く実用化されている。この場合において、各レンズ保持枠同士は、例えばカムフォロワがカム溝に係合するカム結合や、バヨネット爪が溝部に係合するバヨネット結合等によってそれぞれ連結されている。
【０００３】
一般に、写真撮影をおこなうカメラは、使用者が気軽に携帯して持ち歩き、所望のときに取り出して使用することができるような構成となっているのが普通である。したがって、カメラの使用中、もしくはカメラの運搬中等に、そのカメラを使用者が意図せずに他の構造物等に衝突させたり、ハンドリングの誤り等によって床面等に落下させてしまう等の可能性がある。
【０００４】
一方、カメラを携帯等の便に供するためには、カメラ自体を小型化及び軽量化することが常に要求されている。そこで、近年のカメラでは、小型化及び軽量化を実現するための手段として、例えばレンズ保持枠等の構成部材を薄くしたり軽量な素材が採用される傾向がある。
【０００５】
他方、近年のカメラにおいては、ズーム機能の高倍率化や広角化の要求もある。これを実現するためには、光学設計の制約から撮影光学系を構成する光学レンズ群の枚数が増加したり、個々の光学レンズが大型化することは避けられない。このことから、近年のカメラでは、撮影光学系自体の重量が増加する傾向にある。さらに、複数のレンズ保持枠を最も繰り出したときには、レンズ鏡筒の全長が長くなる傾向もある。
【発明の開示】
【発明が解決しようとする課題】
【０００６】
ところが、上述したような構成からなる近年のカメラ、即ち小型化及び軽量化をしつつ高倍率ズーム等の高機能を実現すべく構成されたカメラでは、その使用時において、特に撮影光学系の焦点距離を長焦点側に設定してレンズ鏡筒を最も繰り出した状態で、カメラ本体やレンズ鏡筒を他の構造物等に衝突させたり落下させたりすると、レンズ鏡筒を構成するレンズ保持枠に過大な衝撃が加わる可能性が考えられる。
【０００７】
この場合、各レンズ保持枠同士の連結部分が例えばカム結合等である場合、枠部材が薄かったり、先端寄りの光学レンズの重量が重たかったりすると、枠部材同士のカム結合が外れてしまう等により、枠部材が脱落してしまったり枠部材同士の位置ズレが生じて光軸がズレてしまったり、カム結合部分が損壊してしまう等の故障が生じる可能性が考えられる。
【０００８】
本発明は、上述した点に鑑みてなされたものであって、その目的とするところは、レンズ保持枠等の構成部材を薄い部材で構成し小型化及び軽量化に寄与しながら、耐衝撃性に優れたレンズ鏡筒を提供することである。
【課題を解決するための手段】
【０００９】
上記目的を達成するために、本発明によるレンズ鏡筒は、カム溝を有する第１の枠部材と、筒状に形成され、上記第１の枠部材の光軸に沿う方向に対して相対的に移動可能であって、上記第１の枠部材に対して繰り出された状態となったとき、上記第１の枠部材の光軸に沿う方向に重畳した筒部分に径方向に設けられた貫通穴を有する第２の枠部材と、上記第２の枠部材に設けられ、上記カム溝に嵌合するカム摺接面を有する第１の軸部とこの第１の軸部から一体に形成され上記貫通穴に挿入される第２の軸部とを有し該軸部は上記貫通穴の長さより長く設けられ該軸部を上記貫通穴に挿入し該軸部の先端部が上記第２の枠部材の周面より突出する状態となるカムフォロワと、上記繰出状態で、上記第２の枠部材がさらに繰り出される方向に移動したとき上記カムフォロワの上記先端部と係合する係合部位を有する第３の枠部材と有することを特徴とする。
【発明の効果】
【００１０】
本発明によれば、レンズ保持枠等の構成部材を薄い部材で構成し小型化及び軽量化に寄与しながら耐衝撃性に優れたレンズ鏡筒を提供することができる。
【発明を実施するための最良の形態】
【００１１】
以下、図示の実施の形態によって本発明を説明する。図１〜図３は、本発明の第１の実施形態を示す図である。このうち、図１は本実施形態のレンズ鏡筒の構成を示す分解斜視図である。この図１においては、当該レンズ鏡筒の後端側に配置され実際にはカメラの内部に配設される撮像ユニットを併せて図示している。図２は本実施形態のレンズ鏡筒を構成する複数の枠部材のうち一群枠と直進ガイド枠とを取り出して拡大して示す要部拡大斜視図である。なお、図１はレンズ鏡筒の前面側から見た際の斜視図を示しているのに対して、この図２は各枠部材の斜め後方から見た際の斜視図を示している。図３は本実施形態のレンズ鏡筒を構成する複数の枠部材のうち一群枠と直進ガイド枠とカム枠とが組み立てられた状態において光軸を含む面に沿う断面を示す要部拡大断面図である。この図３では、一群枠，直進ガイド溝，カム溝の各枠同士の連結状態を示すために、主に各枠部材と一群枠に保持される一群レンズ等の主要構成のみを示し、詳細な構成については図示を省略している。
【００１２】
また、以下の説明においては、本実施形態のレンズ鏡筒における撮影光学系の光軸を符号Ｏで表すものとする。この光軸Ｏに沿う方向において被写体側を前方とし、当該レンズ鏡筒における各鏡枠が、この前方に向かう際の方向を繰り出し方向というものとする。一方、同光軸Ｏに沿う方向において結像側を後方とし、各鏡枠が後方に向かう際の方向を繰り込み方向というものとする。当該レンズ鏡筒における各部材の回転方向は、前方側から見た回転方向で表わすものとする。
【００１３】
本実施形態のレンズ鏡筒は、カメラに設けられるものであって、撮影光学系の光軸Ｏに沿う方向において前方に突出させて撮影をおこない得る形態である撮影状態と、当該レンズ鏡筒が適用されるカメラ（図示せず）等の筐体内に収納される非撮影状態（沈胴状態）とに変位自在に構成され、撮影状態にあるときには短焦点位置（ワイド位置）と長焦点位置（テレ位置）との間で変倍動作（ズーミング）が可能となるように構成されるズームレンズ鏡筒を例に挙げて説明する。
【００１４】
まず、本発明の第１の実施形態のレンズ鏡筒の概略的な構成について、図１〜図３を用いて以下に説明する。
【００１５】
本実施形態のレンズ鏡筒１は、図１に示すように、カメラ本体（図示せず）に固定される固定枠２と、固定枠２に支持されてズーミング時や沈胴動作時に駆動源となる駆動モータ（図示せず）の駆動力によって回転及び進退駆動される回転枠３と、光軸方向に進退しかつ回転枠３に対し相対的に光軸Ｏに沿う方向の進退移動が規制された状態で回転可能な移動枠４と、回転枠３と一体に回転し回転枠３に対して光軸Ｏに沿う方向に進退移動するカム枠５と、カム枠５の後端側に固定保持されカム枠５と後述の直進ガイド枠６とをバヨネット結合するバヨネットプレート１９と、回転が規制された状態でカム枠５と共に光軸Ｏに沿う方向に進退する直進ガイド枠６と、回転が規制された状態で回転枠３によって光軸Ｏに沿う方向に進退駆動されシャッター機構や三群枠１０を内部に有するシャッター及び三群ユニット３２と、回転が規制された状態でカム枠５によって光軸Ｏに沿う方向にそれぞれ進退駆動される二群枠１１及び一群枠１２と、フォーカシング時や沈胴動作時に光軸Ｏに沿う方向に進退駆動されるフォーカシングレンズ枠である四群枠１３と、一群枠１２に保持される一群レンズ２１（図１では図示せず。図３参照），二群枠１１に保持される二群レンズ２２，三群枠１０に保持される三群レンズ２３，四群枠１３に保持されるフォーカシングレンズである四群レンズ２４からなる撮影光学系と、固定枠２の後端に固定される保持プレート１５等によって構成される。
【００１６】
レンズ鏡筒１の後側には撮像ユニット３３が装着されている。この撮像ユニット３３は、センサ基台１６と、このセンサ基台１６の略中央部に固設される撮像素子２６及び光学ローパスフィルタ２５等によって構成されている。そして、この撮像ユニット３３は、保持プレート１５が取り付けられた固定枠２の後、その端面に対してセンサ基台１６がビス止め固定され、これによってレンズ鏡筒１の後側に固定保持されている。
【００１７】
固定枠２は、円筒状に形成されており、その内周部に光軸Ｏに対して傾斜する方向に形成される傾斜カム溝部と円周に沿う方向に形成される円周溝部とが連接してなるカム溝２ａと、光軸Ｏに沿う方向に形成される直進溝２ｂ，２ｃ（ただし、図１において直進溝２ｃは不図示）とを有している。
【００１８】
また、固定枠２の外周部には、撮影光学系のズーミング動作をおこなうためのユニットであって、ズーム駆動源であるズームモータ（図示せず）や、このズームモータの駆動力を伝達するギヤー列，ロングギヤー４５等からなるズーミングユニット１７と、撮影光学系のフォーカシング動作をおこなうためのユニットであって、フォーカス駆動源であるフォーカスモータ，フォーカスモータの駆動力を伝達するギヤー列，送りねじ及びガイド軸（いずれも図示せず）等からなるフォーカシングユニット１８とが配設されている。
【００１９】
ズーミングユニット１７は、ズームモータにより本レンズ鏡筒１の撮影光学系のうちズーミング動作に寄与するズーム光学系（一群レンズ２１，二群レンズ２２，三群レンズ２３）を光軸Ｏに沿う方向に駆動するズーム駆動機構であり、さらに、本レンズ鏡筒１を撮影状態から非撮影状態へと駆動する沈胴動作をもおこなう。
【００２０】
フォーカシングユニット１８は、フォーカスモータにより本レンズ鏡筒１の撮影光学系のうちフォーカシング動作に寄与するフォーカシング光学系（四群レンズ２４）を光軸Ｏに沿う方向に駆動するフォーカス駆動機構としての役目をしている。
【００２１】
なお、ロングギヤー４５は、光軸Ｏに平行となる方向に沿って固定枠２の内周部に露呈した状態で回動自在に支持されている。
【００２２】
回転枠３は、円筒状に形成されており、固定枠２の内周部に回動及び進退自在な状態で嵌入している。回転枠３の外周後方部には、固定枠２のカム溝２ａに摺動自在に嵌入するカムフォロワ３ａと、ロングギヤー４５に噛合するギヤー部３ｂとが形成されている。
【００２３】
また、回転枠３の内周部には、光軸Ｏに対して傾斜する方向に形成された三群用カム溝３ｄと、光軸Ｏに沿う方向に形成されたカム枠用直進溝３ｃとを有している。さらに、回転枠３の内周後端部には、内方に向けて突出するように形成される突部３ｅが設けられている。
【００２４】
上述したように、回転枠３のカムフォロワ３ａは、固定枠２のカム溝２ａに摺動自在に嵌入しており、ギヤー部３ｂは、ロングギヤー４５に噛合している。したがって、ズーミングユニット１７のズームモータが駆動されて、ロングギヤー４５が回転駆動されると、その駆動力がギヤー部３ｂを介して回転枠３に伝達され、当該回転枠３を回転させるようになっている。こうして回転枠３が回転すると、当該回転枠３のカムフォロワ３ａが固定枠２のカム溝２ａの傾斜カム溝部に沿って移動することで、同回転枠３は、回転しながら所定の沈胴位置から撮影状態における短焦点位置にまで前方に繰り出される。そして、本レンズ鏡筒１が撮影状態にあるときには、短焦点位置から長焦点位置までの間におけるズーミング動作中には、当該回転枠３は、カムフォロワ３ａとカム溝２ａの円周溝部とによって光軸Ｏに沿う方向には進退することなく回転方向にのみ駆動されるようになっている。
【００２５】
移動枠４は、円筒形状に形成されており、回転枠３の内周部において相対的に回転自在に嵌入している。この移動枠４の後端外周部には、固定枠２の直進溝２ｂに嵌入するガイド突起部４ａが外方に向けて突設されている。これにより、当該移動枠４は、固定枠２によって回転規制された状態で光軸方向への進退移動が可能となっている。
【００２６】
また、移動枠４には、光軸Ｏに沿う方向に形成された三群用直進溝４ｂと、光軸Ｏに対して傾斜する方向に形成されるカム枠用カム溝４ｃと、外周後方部に形成される有底の円周溝４ｅとが設けられている。なお、三群用直進溝４ｂ，カム枠用カム溝４ｃは、いずれも内外周を貫通してなる溝部となっている。
【００２７】
この移動枠４は、回転枠３の突部３ｅが円周溝４ｅに嵌入した状態で、回転枠３の内周部に嵌入するように配設されている。これにより、移動枠４は、回転枠３に対して相対的に回転が可能で、光軸Ｏに沿う方向に一体的に進退移動するようにバヨネット結合されている。
【００２８】
さらに、移動枠４の内周部には、光軸Ｏに沿う方向に形成され、後述の直進ガイド枠６のガイド突起部６ａが嵌入することで当該直進ガイド枠６の回転規制をおこなう直進溝４ｄが形成されている。
【００２９】
カム枠５は、円筒状に形成され、移動枠４の内周部に嵌入するように配置されている。このカム枠５は、外周後方部に外方に向けて突設されるカムフォロワ４１を有している。また、カム枠５の内周部には、光軸Ｏに対して傾斜する方向に形成される二群用カム溝５ａ及び一群用カム溝５ｂとが設けられている。本実施形態において、このカム枠５はカム溝（５ｂ）を有する第１の枠部材である。
【００３０】
カム枠５のカムフォロワ４１は、移動枠４のカム枠用カム溝４ｃに摺動自在に係合しており、その係合状態で貫通している。そして、カムフォロワ４１の先端部は、回転枠３のカム枠用直進溝３ｃに嵌入して支持されている。これにより、カム枠５は、回転枠３と共に回動し、かつ回転枠３に対して相対的に光軸方向に進退する状態で支持されている。
【００３１】
直進ガイド枠６は、円筒状に形成されており、後端外周部に移動枠４の直進溝４ｄに嵌入するガイド突起部６ａを有している。また、直進ガイド枠６は、光軸Ｏに沿う方向に内外周を貫通するように形成される二群用直進溝６ｂと、光軸Ｏに沿う方向に外周面上に形成される有底の一群用直進溝６ｃと、この一群用直進溝６ｃの底面の略中央部において同一群用直進溝６ｃと同方向、即ち光軸０に沿う方向に延びた有底の直進溝であってかつ直進ガイド枠６の前方側の端部近傍で閉じられた形態からなる抜け止め用溝６ｆと、前端側に形成されバリア駆動レバー（図示せず）を駆動する切り欠き状カム部６ｅとを有している。
【００３２】
そして、直進ガイド枠６は、カム枠５の内側に配置される一群枠１２の内周部に嵌入した状態に配置されている（図３参照）。このとき、直進ガイド枠６のガイド突起部６ａが移動枠４の直進溝４ｄに嵌入している。これにより、当該直進ガイド枠６は、移動枠４により進退自在に支持されると共に回転規制されている。また、直進ガイド枠６の一群用直進溝６ｃに一群枠１２のガイド突部１２ｈ（図１では図示せず。図３参照）が嵌入している。これにより、当該直進ガイド枠６は、一群枠１２を進退自在に支持すると共に回転規制している。直進ガイド枠６は、カム枠５に対して回転自在となっており、かつ光軸Ｏに沿う方向に対しては、カム枠５と一体に移動するようになっている。
【００３３】
バヨネットプレート１９は、例えば薄板状の金属部材を略円環形状に形成したものであって、その外周縁部には、複数（本実施形態では３つ）の係合部１９ｂが円周上において略等間隔に、光軸Ｏに沿う方向（前方，被写体側）に向けて突設されている。また、バヨネットプレート１９の内周縁部には、複数（本実施形態では３つ）の突部１９ａが円周上において略等間隔に、光軸Ｏに対して直交する方向に向けて突設されている。
【００３４】
バヨネットプレート１９は、被写体側（前方）から直進ガイド枠６に嵌合し、当該直進ガイド枠６の後端縁部に配設されるようになっている。この場合において、突部１９ａは、直進ガイド枠６の一群用直進溝６ｃを通過しながら円周溝６ｄに嵌入するようになっている。これにより、バヨネットプレート１９と直進ガイド枠６とは、一体となり、この状態において、バヨネットプレート１９は、直進ガイド枠６に対して相対的に回転可能となっている。こうして、バヨネットプレート１９を一体化した直進ガイド枠６は、カム枠５の内周側に、当該カム枠５の後方側（撮像素子側）から挿入されるようになっている。
【００３５】
このとき、バヨネットプレート１９の係合部１９ｂは、カム枠５の後端部近傍の外周面上において外方に向けて突設される突部５ｃに係合されるようになっている。その結果、カム枠５と直進ガイド枠６とは相対的に回転可能で、光軸Ｏに沿う方向には一体に進退可能となっている。
【００３６】
二群枠１１は、円筒状に形成され、直進ガイド枠６の内周部に嵌入された状態に配置されている。この二群枠１１の略中央部には二群レンズ２２が保持されており、外周部には外方に突設されるガイド突部１１ａと、このガイド突部１１ａ上において外方に突設されるカムフォロワ４３とを有している。
【００３７】
ガイド突部１１ａは、直進ガイド枠６の二群用直進溝６ｂに嵌入するようになっており、カムフォロワ４３は、二群用直進溝６ｂを挿通して、その外方に設けられるカム枠５の二群用カム溝５ａに摺動可能に嵌入している。したがってこれにより、二群枠１１は、直進ガイド枠６によって回転規制された状態で、カム枠５によって進退駆動されるようになっている。
【００３８】
一群枠１２は、図３に示すように、円筒状に形成される枠部材２０と一群レンズ２１を保持する一群レンズ保持枠２０ａ等からなり、直進ガイド枠６の外周側であって、カム枠５の内周側に嵌入した状態に配置されている。そして、一群枠１２における枠部材２０の略中央部には、一群レンズ２１を保持した状態の一群レンズ保持枠２０ａが保持されている。
【００３９】
一群枠１２の前面内側には、図１に示すように、一群レンズ２１の前面を開閉自在とするレンズバリア２７が配置されている。また、一群枠１２の内周部には、光軸Ｏに沿う方向に形成され、内方に向けて突設されるガイド突部１２ｈ（図３参照）が形成されている。このガイド突部１２ｈは、内周方向において等間隔に複数（本実施形態では三つ）設けられている。そして、このガイド突部１２ｈの配置されている部分に対応する一群枠１２の外周側後端部には、カムフォロワ４４が外方に向けて配設されている。
【００４０】
カムフォロワ４４は、図３に示すように、カム枠５の一群用カム溝５ｂに嵌合するカム摺接面が形成される第１の軸部である頭部４４ａと、この頭部４４ａと一体に形成される第２の軸部である軸部４４ｂとによって形成されている。そして、この軸部４４ｂが、一群枠１２の後端縁部近傍に径方向に形成される貫通穴２０ｂに挿通された形態で、カムフォロワ４４は一群枠１２に対して固設されている。
【００４１】
この場合において、カムフォロワ４４の軸部４４ｂは、貫通穴２０ｂの長さ（即ち一群枠１２のガイド突部１２ｈの部分の厚さ寸法）よりも長くなるように設定されている。したがって、軸部４４ｂを貫通穴２０ｂに挿入したとき、軸部４４ｂの先端は一群枠１２のガイド突部１２ｈの内周面より内方に向けて所定量だけ突出する状態で固定されている。
【００４２】
そして、一群枠１２と直進ガイド枠６とカム枠５とを組み立てた状態としたとき、カムフォロワ４４の頭部４４ａはカム枠５の一群用カム溝５ｂに嵌入し、カムフォロワ４４の軸部４４ｂは一群枠１２の貫通穴２０ｂを貫通して直進ガイド枠６の抜け止め用溝６ｆに係合するようになっている。これと共に、一群枠１２のガイド突部１２ｈは、直進ガイド枠６の一群用直進溝６ｃに嵌入する。したがってこれにより、一群枠１２は、直進ガイド枠６によって回転規制された状態で、カム枠５によって進退駆動されるようになっていると共に、一群枠１２は、直進ガイド枠６とカム枠５との間でカムフォロワ４４を介して抜け落ちないようになっている。
【００４３】
なお、ここで、カム枠５（第１の枠部材）と一群枠１２（第２の枠部材）とはそれぞれが光軸Ｏに沿う方向に相対的に移動するようになっている。また、カム枠５（第１の枠部材）と直進ガイド枠６（第３の枠部材）とは相対的に回転するようになっている。
【００４４】
レンズバリア２７は、一群枠１２の前端部において回動自在に支持されており、バネ付勢された状態で回動自在に支持されるバリア駆動レバー（図示せず）によって開閉駆動されるようになっている。このバリア駆動レバーは、当該レンズ鏡筒１の沈胴動作時に直進ガイド枠６の切り欠き状カム部６ｅによって回動駆動されるのに連動してレンズバリア２７を閉方向に駆動するようになっている。
【００４５】
シャッター及び三群ユニット３２は、後端側に配設される三群用直進枠７と、前端側に配設される押さえ板部材８と、シャッター機構を保持するシャッター枠９と、三群レンズ２３を保持する三群枠１０等によって構成されている。
【００４６】
三群用直進枠７は、外方の三方向に向けて延出するように形成される腕部の各先端にそれぞれ設けられるガイド突部７ａと、各ガイド突部７ａからさらに外方に向けて突設されるカムフォロワ４２とを有して形成されている。また、三群用直進枠７は、三群枠１０を光路外に退避させ得るのに充分な退避空間を有するように形成されている。
【００４７】
三群用直進枠７は、移動枠４の内部に嵌入した状態で配置され、ガイド突部７ａが移動枠４の三群用直進溝４ｂに嵌入し、カムフォロワ４２が回転枠３の三群用カム溝３ｄに嵌入されるようになっている。これにより、当該三群用直進枠７は、移動枠４によって回転規制された状態で、回転枠３によって進退駆動されるようになっている。
【００４８】
シャッター枠９は、中央開口部を開閉するシャッター羽根や、このシャッター羽根を回動駆動させるシャッターアクチュエータ等を含むシャッター機構を有して構成されている（いずれも図示せず）。
【００４９】
三群枠１０は、シャッター及び三群ユニット３２の所定の位置に組み付けられた状態において、所定の支持軸によって光軸Ｏに直交する面に平行方向に回動自在に支持されており、かつ三群用直進枠７と押さえ板部材８とによって光軸Ｏに沿う方向への移動が規制された状態に保持されている。また、シャッター枠９は、三群枠１０の前側に配置されている。
【００５０】
四群枠１３は、四群レンズ２４を保持する枠部材である。四群枠１３の外周には、外方に向けて延出する長腕部１３ｅ及び短腕部１３ｆが設けられている。長腕部１３ｅの先端部近傍には、フォーカシングユニット１８のガイド軸（図示せず）が挿通される軸穴１３ａが形成されている。また、短腕部１３ｆの先端部近傍には、固定枠２の直進溝２ｃ（図示せず）に摺動自在に係合されるガイド突起部１３ｂが形成されている。
【００５１】
この四群枠１３は、固定枠２の内部における後方に挿入配置されており、固定枠２に対して光軸Ｏに沿う方向に進退自在となっている。
【００５２】
即ち、四群枠１３は、フォーカシングユニット１８のフォーカス駆動源（フォーカスモータ）の駆動力によってギヤー列，送りネジを介してガイド軸が回動されると、このガイド軸に沿う方向、即ち光軸Ｏに沿う方向に進退駆動されて、撮影状態にあるときには適切なフォーカシング位置に、また沈胴動作時には所定の沈胴位置に配置されるようになっている。
【００５３】
また、四群枠１３の略中央部には開口部が穿設されており、この開口部の内側部分に四群レンズ２４が固定保持されている。
【００５４】
保持プレート１５は、金属製の板状部材からなり、組み立てられた状態のレンズ鏡筒１における固定枠２の後端面に対して、例えばビス等によって固定されている。この保持プレート１５には、略中央部に開口（図示せず）が設けられている。
【００５５】
以上説明したように上記第１の実施形態においては、第２の枠部材である一群枠１２は、筒状に形成され、カム溝５ｂを有する第１の枠部材であるカム枠５の光軸Ｏに沿う方向に対して相対的に移動可能であって、カム枠５（第１の枠部材）に対して繰り出された状態となったとき、カム枠５（第１の枠部材）の光軸Ｏに沿う方向に重畳した筒部分、即ち後端縁部近傍の所定位置に径方向に設けられた貫通穴２０ｂを有するように構成した。
【００５６】
また、カムフォロワ４４は、一群枠１２（第２の枠部材）に設けられ、カム溝５ｂに嵌合するカム摺接面を有する第１の軸部である頭部４４ａと、このカム摺接面を有する頭部４４ａと一体に形成され貫通穴２０ｂに挿入される第２の軸部である軸部４４ｂとを有し、軸部４４ｂは貫通穴２０ｂの長さより長く設けられ、軸部４４ｂを貫通穴２０ｂに挿入したとき、軸部４４ｂの先端部が一群枠１２（第２の枠部材）の内周面より内方に向けて突出する状態となるように形成配置した。
【００５７】
そして、第３の枠部材である直進ガイド枠６は、本レンズ鏡筒１が最も繰り出された状態において、一群枠１２（第２の枠部材）がさらに繰り出される方向に移動しようとしたときには、カムフォロワ４４の軸部４４ｂの先端が抜け止め用溝６ｆ（係合部位）に係合しており、その状態が保持されたまま同溝６ｆの前方側の内側端部６ｆａに当接して直進移動が規制される。
【００５８】
このような構成により、一群枠１２は、カムフォロワ４４の軸部４４ｂと抜け止め用溝６ｆとの係合が維持された状態で、その直進移動が規制される。したがって、一群枠１２は、当該レンズ鏡筒１やカメラ本体側に衝撃等が加わったときにも、直進ガイド枠６とカム枠５との間から脱落することがなく、よって、レンズ鏡筒１やカメラの破損若しくは故障等の不具合が生じるのを抑制することができる。
【００５９】
即ち、本実施形態によれば、一群枠１２や直進ガイド枠６やカム枠５等の構成部材を薄い部材で構成して小型化及び軽量化に寄与しながらも、耐衝撃性に優れたレンズ鏡筒を提供することが、簡単な部位の加工のみで容易にできる。
【００６０】
ところで、上述の第１の実施形態においては、カムフォロワ４４の軸部４４ｂを一群枠１２の貫通穴２０ｂよりも長く設定し、当該軸部４４ｂの先端部が枠部材２０の内周から内方に向けて若干量だけ突出させると共に、直進ガイド枠６の側には、軸部４４ｂの先端部が係合させる抜け止め用溝６ｆを形成して構成している。
【００６１】
つまり、上記第１の実施形態においては、カムフォロワ４４は、一群用カム溝５ｂに頭部４４ａを嵌入させて一群枠１２の光軸Ｏに沿う方向への進退動作に寄与するカム機構の一部を構成しているのと同時に、直進ガイド枠６の抜け止め用溝６ｆに軸部４４ｂの先端部を係合させることで一群枠１２が最も前方に繰り出された状態で衝撃を受けたとしても、一群枠１２が脱落するのを抑える機能を兼ね備えている。
【００６２】
本発明は、上記第１の実施形態の構成に限られるものではなく、例えば次に示す第２の実施形態のような構成とすることもできる。
【００６３】
即ち、図４，図５は、本発明の第２の実施形態のレンズ鏡筒を示す図である。このうち、図４は、本実施形態のレンズ鏡筒を構成する複数の枠部材のうち一群枠と直進ガイド枠とを取り出して拡大して示す要部拡大斜視図である。この図４は図２と同様に各枠部材の斜め後方から見た際の斜視図を示している。図５は本実施形態のレンズ鏡筒を構成する複数の枠部材のうち一群枠と直進ガイド枠とカム枠とが組み立てられた状態において光軸を含む面に沿う断面を示す要部拡大断面図である。この図５では、一群枠，直進ガイド溝，カム溝の各枠同士の連結状態を示すために、主に各枠部材と一群枠に保持される一群レンズ等の主要構成のみを示し、詳細な構成については図示を省略している。
【００６４】
本発明の第２の実施形態は、基本的には上述の第１の実施形態と略同様の構成からなるものであるが、本実施形態のレンズ鏡筒１Ａにおいては、直進ガイド枠６Ａの抜け止め用溝６Ａｆの配置が異なると共に、この抜け止め用溝６Ａｆに係合させる抜け止め用ピン４７を新たに配設した点が異なるのみである。
【００６５】
詳しくは、本実施形態のレンズ鏡筒１Ａにおいて、直進ガイド枠６Ａの抜け止め用溝６Ａｆは、図４に示すように一群用直進溝６ｃとは異なる位置に形成配置されている。即ち、抜け止め用溝６Ａｆは、直進ガイド枠６Ａの外周面上にあって光軸Ｏに沿う方向に形成される有底溝であってかつ直進ガイド枠６Ａの前方側の端部近傍で閉じられた形態に形成されている。
【００６６】
一方、直進ガイド枠６Ａの抜け止め用溝６Ａｆには、一群枠１２Ａの抜け止め用ピン４７の先端部が嵌入する。この抜け止め用ピン４７は、一群枠１２Ａの外周側後端部のカムフォロワ４４と同周面上に複数（例えば三本）配設されている。
【００６７】
抜け止め用ピン４７は、頭部が平たい形状に形成されており、一群枠１２Ａをカム枠５の内周側に嵌入させたときにも、抜け止め用ピン４７の頭部が外方に向けて突出しないように形成されている。
【００６８】
抜け止め用ピン４７の平状頭部には、軸部が一体に形成されている。この軸部は、一群枠１２Ａの後端縁部近傍に径方向に形成される貫通穴２０ｄに挿通された形態で、一群枠１２Ａに対して固設されている。この場合において、抜け止め用ピン４７の軸部は、貫通穴２０ｄの長さ（即ち一群枠１２Ａの後端縁部近傍の厚さ寸法）よりも長くなるように設定されている。したがって、抜け止め用ピン４７の軸部を貫通穴２０ｄに挿入したととき、当該軸部の先端は一群枠１２Ａの内周面より内方に向けて所定量だけ突出する状態で固定されている。
【００６９】
そして、一群枠１２Ａと直進ガイド枠６Ａとカム枠５とを組み立てた状態としたとき、図５に示すように、直進ガイド枠６Ａは、一群枠１２Ａの内周部に嵌入した状態に配置される（図４参照）。このとき、抜け止め用ピン４７の頭部は、カム枠５の内周面に対して当接しないようになっている。また、抜け止め用ピン４７の軸部は一群枠１２Ａの貫通穴２０ｄを貫通して直進ガイド枠６Ａの抜け止め用溝６Ａｆに係合するようになっている。これと共に、一群枠１２Ａのガイド突部１２ｈは、直進ガイド枠６Ａの一群用直進溝６ｃに嵌入する。さらに、一群枠１２Ａのカムフォロワ４４の頭部はカム枠５の一群用カム溝５ｂにカム結合している。
【００７０】
なお、本実施形態では、カムフォロワ４４の軸部４４ｂは、その先端が一群枠１２Ａの内周側に突出しないように設定されている。したがって、本実施形態では、カムフォロワ４４は、一群枠１２Ａに対して貫通しない非貫通穴２０Ａｂに挿入され固定されている。
【００７１】
これにより、直進ガイド枠６Ａは、一群枠１２Ａを進退自在に支持すると共に回転規制している。つまり、直進ガイド枠６Ａは、カム枠５に対して回転自在となっており、かつ光軸Ｏに沿う方向に対してはカム枠５と一体に移動するようになっている。
【００７２】
この状態で、カム枠５とのカム結合により進退駆動される。さらにこれと共に、一群枠１２Ａは、直進ガイド枠６Ａとカム枠５との間で抜け止め用ピン４７を介して抜け落ちないようになっている。
【００７３】
以上述べたように、上記第２の実施形態によれば、直進ガイド枠６Ａの抜け止め用溝６Ａｆを一群用直進溝６ｃとは異なる位置に形成配置し、これに応じて、当該抜け止め用溝６Ａｆに係合する抜け止め用ピン４７を一群枠１２Ａの所定の部位（後端縁部近傍）に新たに配設している。このような構成により、本実施形態のレンズ鏡筒においても、上述の第１の実施形態と略同様の効果を得ることができる。もちろん、第１の実施形態，第２の実施形態の併用は可能であり、適宜組み合わせて実施することは容易にできる。
【００７４】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００７５】
【図１】本発明の第１の実施形態のレンズ鏡筒の構成を示す分解斜視図。
【図２】本実施形態のレンズ鏡筒を構成する複数の枠部材のうち一群枠と直進ガイド枠とを取り出して拡大して示す要部拡大斜視図。
【図３】本実施形態のレンズ鏡筒を構成する複数の枠部材のうち一群枠と直進ガイド枠とカム枠とが組み立てられた状態において光軸を含む面に沿う断面を示す要部拡大断面図。
【図４】本発明の第２の実施形態のレンズ鏡筒を構成する複数の枠部材のうち一群枠と直進ガイド枠とを取り出して拡大して示す要部拡大斜視図。
【図５】本実施形態のレンズ鏡筒を構成する複数の枠部材のうち一群枠と直進ガイド枠とカム枠とが組み立てられた状態において光軸を含む面に沿う断面を示す要部拡大断面図。
【符号の説明】
【００７６】
１，１Ａ……レンズ鏡筒
２……固定枠
３……回転枠
４……移動枠
５……カム枠
５ｂ……一群用カム溝
６，６Ａ……直進ガイド枠
６ｃ……一群用直進溝
６ｆ，６Ａｆ……抜け止め用溝
６ｆａ……内側端部
７……三群用直進枠
１０……三群枠
１１……二群枠
１２，１２Ａ……一群枠
１２ｈ……ガイド突部
１３……四群枠
２０……枠部材２０
２０ａ……一群レンズ保持枠
２０ｂ……貫通穴
２０ｄ……貫通穴
２０Ａｂ……非貫通穴
２１……一群レンズ
２２……二群レンズ
２３……三群レンズ
２４……四群レンズ
２６……撮像素子
３２……三群ユニット
３３……撮像ユニット
４１，４２，４３，４４……カムフォロワ
４４ａ……頭部（カム摺接面；第１の軸部）
４４ｂ……軸部（第２の軸部）
４７……抜け止め用ピン
【図１】
2009145686.tif 000003
【図２】
2009145686.tif 000004
【図３】
2009145686.tif 000005
【図４】
2009145686.tif 000006
【図５】
2009145686.tif 000007